(57)【要約】  一側面の光源から入射される光を一面から出射させる導光板と、該導光板の前記一面と対向配置された光学シートとを備える光源装置において、前記導光板の側面に沿って設けられ、前記光学シート及び導光板の間に一端部が介在して該光学シート及び導光板間の間隔を維持する間隔維持部を備え、該間隔維持部の前記一端部を白色にすることにより、前記光学シートの表側に設けられる表示パネルに該間隔維持部の影が映ることを未然に防ぐことができる光源装置及び該光源装置を備える表示装置を提供する。
2015159396.tif 000002
【特許請求の範囲】
【請求項１】
一側面の光源から入射される光を一面から出射させる導光板と、該導光板の前記一面と対向配置された光学シートとを備える光源装置において、
前記導光板の側面に沿って設けられ、前記光学シート及び導光板の間に一端部が介在して該光学シート及び導光板間の間隔を維持する間隔維持部を備えており、
該間隔維持部は前記一端部が白色であることを特徴とする光源装置。
【請求項２】
前記間隔維持部は、前記一端部に連設され、前記導光板の外側に設けられた取付部を有しており、該取付部が黒色であることを特徴とする請求項１に記載の光源装置。
【請求項３】
前記間隔維持部の一端部と、前記導光板との間に設けられた緩衝部材を備え、
前記間隔維持部の異色境界が前記緩衝部材との接触部分に位置するように構成されていることを特徴とする請求項２に記載の光源装置。
【請求項４】
請求項１から３の何れかに記載の光源装置と、
前記光学シートを介して入射される光を用いて画像を表示する表示パネルと
を備えることを特徴とする表示装置。
【発明の詳細な説明】
【技術分野】
【０００１】
本発明は、一側面付近の光源から入射される光を一面から出射させる導光板と、該導光板の前記一面と対向配置された光学シートとを備える光源装置、及び該光源装置を備える表示装置に関する。
【背景技術】
【０００２】
近年、液晶表示装置が広く普及しており、より高い画質の画像表示が求められている。【０００３】
一方、特許文献１においては、パネルフレームのＬＥＤ光源ブロックを配置した端部において、ＬＥＤ光源ブロックから導光板・反射シートの少なくとも一部まで広がる凹み部を設け、さらに凹み部に、ＬＥＤ光源ブロックの端部から導光板・反射シートの少なくとも一部まで広がり、かつパネルフレームに固定された、反射断熱部材を設けることにより、光の取り出し効率を向上し、かつ光学部材の劣化を抑制することで、良好な光学特性を有する液晶表示装置が開示されている。
【先行技術文献】
【特許文献】
【０００４】
【特許文献１】特開２０１０−０７２２６２号公報
【発明の概要】
【発明が解決しようとする課題】
【０００５】
一方、画像が表示される表示パネルにおいて、画像表示領域を広くするためには、いわゆるベゼルによって占められる部分を減らす必要がある。一方、該ベゼルによる占有部分を減らした場合、導光板の周囲に設けられた部品の影が表示パネルに映るという問題がある。これに対して、特許文献１の斯かる液晶表示装置においては、斯かる問題に対して考慮しておらず、対応出来ない。【０００６】
本発明は、斯かる事情に鑑みてなされたものであり、その目的とするところは、一側面の光源から入射される光を一面から出射させる導光板と、該導光板の前記一面と対向配置された光学シートとを備える光源装置において、前記導光板の側面に沿って設けられ、前記光学シート及び導光板の間に一端部が介在して該光学シート及び導光板間の間隔を維持する間隔維持部を備え、該間隔維持部の前記一端部を白色にすることにより、前記光学シートの表側に設けられる表示パネルに該間隔維持部の影が映ることを未然に防ぐことができる光源装置及び該光源装置を備える表示装置を提供することにある。
【課題を解決するための手段】
【０００７】
本発明に係る光源装置は、一側面の光源から入射される光を一面から出射させる導光板と、該導光板の前記一面と対向配置された光学シートとを備える光源装置において、前記導光板の側面に沿って設けられ、前記光学シート及び導光板の間に一端部が介在して該光学シート及び導光板間の間隔を維持する間隔維持部を備えており、該間隔維持部は前記一端部が白色であることを特徴とする。【０００８】
本発明にあっては、前記間隔維持部の前記一端部が白色であるので、前記導光板から出射される光が、該一端部によって反射され、又は該一端部を透過して進行する。従って、前記光学シートの表側に表示パネルが設けられた場合、該間隔維持部の影が映ることはない。【０００９】
本発明に係る光源装置は、前記間隔維持部は、前記一端部に連設され、前記導光板の外側に設けられた取付部を有しており、該取付部が黒色であることを特徴とする。【００１０】
本発明にあっては、前記取付部が黒色であるので、前記光源又は導光板からの光がいわゆる漏れ光となり、当該装置の外側に漏れることを防止できる。【００１１】
本発明に係る光源装置は、前記間隔維持部の一端部と、前記導光板との間に設けられた緩衝部材を備え、前記間隔維持部の異色境界が前記緩衝部材との接触部分に位置するように構成されていることを特徴とする。【００１２】
本発明にあっては、前記間隔維持部の異色境界が前記緩衝部材との接触部分に位置するように構成されているので、上述したように表示パネルに影が映る問題、及び、光の漏れが発生する問題を共に解決できる。【００１３】
本発明に係る表示装置は、前述の発明の何れかに記載の光源装置と、前記光学シートを介して入射される光を用いて画像を表示する表示パネルとを備えることを特徴とする。【００１４】
本発明にあっては、前記光源装置が発する光が、前記光学シートを介して前記表示パネルに入射する。前記表示パネルは入射された光を用いて画像を表示する。
【発明の効果】
【００１５】
本発明によれば、前記間隔維持部において、前記光学シート及び導光板の間に介在する一端部を白色にすることにより、前記光学シートの表側に設けられる表示パネルに該間隔維持部の影が映ることを未然に防ぐことができる。
【図面の簡単な説明】
【００１６】
【図１】本発明の実施の形態に係るテレビジョン受像機の外観を示す正面図である。
【図２】図１のＡ―Ａ線による縦断面図である。
【図３】図２の縦断面図において、下部を拡大した拡大図である。
【図４】図２の縦断面図において、上部を拡大した拡大図である。
【図５】本発明の実施の形態に係るテレビジョン受像機の横方向における端部の横断面図である。
【発明を実施するための形態】
【００１７】
以下に、本発明の実施の形態に係る表示装置を、テレビジョン受像機に適用した場合を例として、図面に基づいて詳述する。
【００１８】
図１は本発明の実施の形態に係るテレビジョン受像機の外観を示す正面図である。図中符号１００は、本発明の実施の形態に係るテレビジョン受像機を示す。以下、説明の便宜上、図面視左右方向を横方向、図面視上下方向を縦方向という。
【００１９】
図２は図１のＡ―Ａ線による縦断面図である。本発明の実施の形態に係るテレビジョン受像機１００は、図１に示したように、表側の一面に映像を表示する矩形の液晶表示パネル２を備えている。また、液晶表示パネル２の裏側には、液晶表示パネル２に光を照射する光源装置１が配置されている。
【００２０】
光源装置１は、光源部３と、光学シート４と、導光板５とを備えている。また、図３は図２の縦断面図において、下部を拡大した拡大図であり、図４は図２の縦断面図において、上部を拡大した拡大図である。また、図５は本発明の実施の形態に係るテレビジョン受像機１００の横方向における端部の横断面図である。
【００２１】
光学シート４は一面が液晶表示パネル２の他面と対向するように配置されており、また、導光板５は一面が光学シート４の他面と対向するように配置されている。更に、導光板５の他面とその一面が対向するように反射シート１２が配置されている。
【００２２】
液晶表示パネル２の縁側には、フロントカバー７が配置されている。フロントカバー７は、ユーザによって視認される液晶表示パネル２の一面の形状に倣う中空の矩形の表示窓７１を有している。ユーザは表示窓７１を介して液晶表示パネル２の前記一面に表示される画像を視認することができる。
【００２３】
また、図２で示すように、液晶表示パネル２は、前記一面の周縁部が表示窓７１によって覆われている。より詳しくは、液晶表示パネル２の前記一面の周縁部に沿って設けられたクッションＣを介して、表示窓７１が液晶表示パネル２の周縁部を導光板５側に押し付けることにより、液晶表示パネル２を保持している。
【００２４】
また、液晶表示パネル２は前記他面に偏光板（図示せず）を設けており、該偏光板を用いて入射される光をＰ波（水平偏向成分）とＳ波（垂直偏向成分）に分離し、Ｐ波だけが一面に向けて出て行き、Ｓ波は該偏光板に吸収されるように構成されている。液晶表示パネル２は、例えば電気泳動液晶パネルであっても良い。
【００２５】
光学シート４は、光源部３から発せられ、導光板５を介して入射される光に対して拡散、集光等を行ない、より均一な光を液晶表示パネル２に向けて出射させる、公知のものである。例えば、光学シート４は、２枚の拡散シートと、１枚のプリズムシートとからなり、該プリズムシートは２枚の拡散シートの間に介在している。
【００２６】
前記２枚の拡散シートのうち導光板５側に配置された一の拡散シートは、導光板５を介して光源部３から入射される光を拡散させて前記プリズムシートに入射させる光学シートである。また、前記プリズムシートは、前記一の拡散シートを介して入射される光を集光して他の拡散シートに向けて出射させる光学シートである。前記プリズムシートを通過した光は、該プリズムシートに対して垂直に前記他の拡散シートへ入射される。
【００２７】
前記２枚の拡散シートのうち液晶表示パネル２側に配置された前記他の拡散シートは、前記プリズムシートを介して入射される光を更に拡散させてより均一な輝度分布にして液晶表示パネル２に向けて出射させる光学シートである。
【００２８】
光学シート４の他面側には、矩形の導光板５が配置されている。導光板５は光源部３が発する光を光学シート４（液晶表示パネル２）に導く。例えば、導光板５は、光学シート４の他面と対向する一面が、光源部３から入射された光が液晶表示パネル２方向に進行するようにパターンが形成された出射面を有するように構成してもよい。これによって、導光板５は、光源部３から入射される光を平面光に変えて前記出射面を通じて光学シート４に均一に伝達することができる。
【００２９】
また、導光板５は例えば透明度の高いアクリル樹脂からなり、導光板５の他面側には、反射シート１２が配置されている。すなわち、反射シート１２の一面は導光板５と他面と対向している。
【００３０】
反射シート１２は、導光板５より少し大きく、導光板５に倣う矩形である。また、反射シート１２は光源部３から導光板５に入射される光を導光板５の他面側から乱反射させて導光板５の前記出射面を介して出射させる。
【００３１】
反射シート１２の他面側であって、反射シート１２の縁部にはスペーサー１１が配置されている。換言すれば、反射シート１２の縁部はスペーサー１１によって支えられ、後述する放熱板９との間隔が一定に保持される。スペーサー１１は樋形状であり、底の外側が反射シート１２の他面と接触している。
【００３２】
また、反射シート１２の他面側であって、縁部を除く部分（以下、剰余部分）には、いわゆるバックライトシャーシ１０が配置されている。換言すれば、反射シート１２の剰余部分は他面側からバックライトシャーシ１０によって支えられている。バックライトシャーシ１０は樋形状であり、底の外側が反射シート１２の剰余部分と接触している。すなわち、スペーサー１１及びバックライトシャーシ１０によって、反射シート１２（導光板５）と放熱板９との間隔が一定に保持される。
【００３３】
スペーサー１１及びバックライトシャーシ１０の内側と対向するように、放熱板９が配置されている。放熱板９は、例えば、熱伝導性の優れたアルミニウムからなる。放熱板９は一面がスペーサー１１及びバックライトシャーシ１０と接している。
【００３４】
放熱板９は導光板５に倣う矩形状の底を有する箱形状をなしており、該底は導光板５と略等しい寸法を有している。また、放熱板９は、前記底の各縁から導光板５側に立ち上がる側壁部を有している。該側壁部のうち、光源部３側の側壁部９１は、後述する光源部３の基板３２の他面側にて、該他面に沿って設けられている。換言すれば、側壁部９１は、後述する間隔維持部８と、基板３２の間に介在している。
【００３５】
更に、本発明に係るテレビジョン受像機１００は、上述した、液晶表示パネル２、光学シート４及び導光板５の各々を所定の間隔にて保持する間隔維持部８を備えている。間隔維持部８は、液晶表示パネル２、光学シート４及び導光板５の縁部に沿って設けられている。間隔維持部８は、前記縦方向において下方縁部、すなわち光源部３付近に設けられた下方間隔維持部８Ａと、上方縁部に設けられた上方間隔維持部８Ｂと、前記横方向の端部に設けられた横方間隔維持部８Ｃからなる。
【００３６】
下方間隔維持部８Ａは、図３に示すように、縦断面視クランク状をなしており、２段の屈曲部を有する取付部８２Ａを有している。取付部８２Ａは、導光板５及び光学シート４の端部付近に設けられている。また、下方間隔維持部８Ａは、取付部８２Ａの一端部に連設されており、取付部８２Ａより導光板５側であって、導光板５及び光学シート４の間に介在する先端部８１Ａを有している。更に、取付部８２Ａの他端部には、該他端部から導光板５の厚み方向に延びる脚板８３Ａが設けられている。取付部８２Ａ及び脚板８３Ａが縦断面視フック状をなして、放熱板９の側壁部９１の先端と係止することにより、下方間隔維持部８Ａは放熱板９に保持されている。
【００３７】
取付部８２Ａは、上述したように、縦断面視２段の屈曲部を有しており、前記他端部及び一端部に扁平部が形成されている。前記他端部の扁平部８４Ａには、クッションを挟んで、液晶表示パネル２の光源部３側端部が配置されている。換言すれば、前記縦方向の下方においては、液晶表示パネル２の端部が、クッションＣを介して、フロントカバー７の表示窓７１及び下方間隔維持部８Ａの扁平部８４Ａによって挟持されている。
【００３８】
取付部８２Ａ及び脚板８３Ａは、例えば、黒色である。また、これに限るものでなく、光を吸収できる無彩色であれば良い。
【００３９】
一方、取付部８２Ａの一端部には先端部８１Ａ（一端部）が連設されている。より詳しくは、取付部８２Ａの前記一端部の扁平部の縁から、光学シート４側に先端部８１Ａが突設されている。先端部８１Ａはその先端にて光学シート４の他面と当接している。先端部８１Ａは、例えば、白色である。また、これに限るものでなく、光を反射できる無彩色であれば良い。
【００４０】
すなわち、取付部８２Ａの前記一端部の扁平部には、取付部８２Ａの黒色及び先端部８１Ａの白色の異色境界が存在する。
【００４１】
取付部８２Ａの前記一端部の扁平部においては、前記異色境界を跨るように、導光板５側面に溝８５Ａが形成されている。また、溝８５Ａに係合するようにクッション６が、導光板５の一面の縁部に配置されている。
【００４２】
換言すれば、前記異色境界はクッション６（緩衝部材）との接触位置に存在するように構成されている。より詳しくは、導光板５の厚み方向において、前記異色境界の位置は、クッション６の位置と整合するように構成されている。また、溝８５Ａによってクッション６の位置ずれを防止できる。
【００４３】
このように、液晶表示パネル２がフロントカバー７の表示窓７１及び下方間隔維持部８Ａの扁平部８４Ａによって挟持され、かつ光学シート４が下方間隔維持部８Ａの先端部８１Ａの先端によって支えられるので、液晶表示パネル２、光学シート４及び導光板５が、これらの並設方向において、一定の間隔を維持しながら保持され得る。
【００４４】
また、本発明に係るテレビジョン受像機１００においては、下方間隔維持部８Ａの成型に、いわゆる２色成型方法が更に用いられる。斯かる２色成型方法は、射出成形の際、複数ノズルを用いて順次的に注入を行うことにより、複数色を有する製品を得ることができる公知の技術であり、ここでは詳しい説明を省略する。
【００４５】
一方、縦方向における下方であって、導光板５の一側面付近には、光源部３が設けられている。光源部３は、導光板５の前記一側面に対して対向配置された短冊状の基板３２と、基板３２の長手方向に沿って基板３２の一面に実装された複数の光源３１，３１,・・・３１とを有する。
【００４６】
光源３１は、例えば、冷陰極蛍光ランプ（ＣＣＦＬ：Ｃｏｌｄ Ｃａｔｈｏｄｅ Ｆｌｕｏｒｅｓｃｅｎｃｅ Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）又は発光ダイオード（ＬＥＤ：Ｌｉｇｈｔ Ｅｍｉｔｔｉｎｇ Ｄｉｏｄｅ）等である。
【００４７】
本発明においては、下方間隔維持部８Ａが上述したような構成を有するので、液晶表示パネル２、光学シート４及び導光板５が一定の間隔を維持しながら、液晶表示パネル２に下方間隔維持部８Ａの影が映ることを防ぐことができる。
【００４８】
すなわち、クッション６より導光板５の中央側である下方間隔維持部８Ａの先端部８１Ａが白色であるので、導光板５の一面から出射される光は、先端部８１Ａによって反射され、又は先端部８１Ａを透過し、クッション６よりも導光板５の外側に漏れることはない（図３中、実線の矢印参照）。従って、液晶表示パネル２に下方間隔維持部８Ａの影が映らず、液晶表示パネル２に表示される画像を観覧するユーザに違和感を与えることを防ぐことができる。
【００４９】
また、本発明においては、下方間隔維持部８Ａが上述したような構成を有するので、光源３１から出射され又は基板３２によって反射された光が、フロントカバー７又は液晶表示パネル２のつなぎ目から漏れ出す漏れ光となることを未然に防止できる。
【００５０】
すなわち、クッション６より導光板５の外側である下方間隔維持部８Ａの取付部８２Ａが黒色であるので、前記漏れ光の原因となる光は、取付部８２Ａによって吸収・遮光され、フロントカバー７又は液晶表示パネル２のつなぎ目から外側に漏れることはない（図３中、破線の矢印参照）。
【００５１】
例えば、前記異色境界の位置が、導光板５の厚み方向におけるクッション６の位置と整合せず、クッション６より導光板５の中央側に位置する場合、黒色の部分による光の吸収に起因する影が、表示パネル２に映る。また、クッション６より光板５の外側に位置する場合、白部分による反射に起因して光の漏れが激しくなる。
【００５２】
しかし、本発明に係るテレビジョン受像機１００においては、上述したように、異色境界の位置が、導光板５の厚み方向において、クッション６の位置と整合しているので、表示パネル２に影が映る問題、及び、漏れ光が発生する問題を共に解決できる。
【００５３】
一方、上方間隔維持部８Ｂは、図４に示すように、縦断面視クランク状をなしており、２段の屈曲部を有する取付部８２Ｂを有している。取付部８２Ｂは、導光板５及び光学シート４の端部付近に設けられている。また、上方間隔維持部８Ｂは、取付部８２Ｂの一端部に連設けられ、取付部８２Ｂより導光板５の中央側に配置された先端部８１Ｂ（一端部）を有している。すなわち、先端部８１Ｂは、導光板５及び光学シート４の間に介在している。
【００５４】
更に、取付部８２Ｂの他端部には、導光板５の厚み方向と平行に配置された脚板８３Ｂが設けられている。脚板８３Ｂは短冊状を有しており、長手方向の寸法は液晶表示パネル２の長手方向の寸法と略等しい寸法であり、短手方向の寸法はテレビジョン受像機１００の厚みと略等しい。取付部８２Ｂ及び脚板８３Ｂが縦断面視フック状をなして、放熱板９の側壁部の先端と係止することにより、上方間隔維持部８Ｂは放熱板９に保持されている。この際、脚板８３Ｂの長辺側縁のうち、表側の縁はフロントカバー７の内側と当接している。
【００５５】
取付部８２Ｂは、上述したように、縦断面視２段の屈曲部を有しており、前記他端部及び一端部に扁平部が形成されている。前記他端部の扁平部８４Ｂには、クッションを挟んで、液晶表示パネル２の光源部３側端部が配置されている。換言すれば、前記縦方向の上方においては、液晶表示パネル２の端部が、クッションＣを介して、フロントカバー７の表示窓７１及び上方間隔維持部８Ｂの扁平部８４Ｂによって挟持されている。
【００５６】
また、取付部８２Ｂの前記一端部の扁平部には、光学シート４に向けて、細長い矩形状の支持板８６Ｂが突接されている。支持板８６Ｂは、長辺の寸法が光学シート４の長辺の寸法と略同じであり、長辺側の先端にて光学シート４の他面と当接し、光学シート４を支持している。
【００５７】
取付部８２Ｂ及び脚板８３Ｂは、例えば、黒色である。また、これに限るものでなく、光を吸収できる無彩色であれば良い。
【００５８】
一方、取付部８２Ｂの一端部には先端部８１Ｂが連設されている。より詳しくは、取付部８２Ｂの前記一端部の扁平部の縁から、光学シート４側に先端部８１Ｂが突設されている。先端部８１Ｂは、支持板８６Ｂと同様、その先端にて光学シート４の他面と当接している。先端部８１Ｂは、例えば、白色である。また、これに限るものでなく、光を反射できる無彩色であれば良い。
【００５９】
すなわち、取付部８２Ｂの前記一端部の扁平部には、取付部８２Ｂの黒色及び先端部８１Ｂの白色の異色境界が存在する。より詳しくは、前記異色境界は、支持板８６Ｂ及び先端部８１Ｂの間に形成されている。
【００６０】
取付部８２Ｂの前記一端部の扁平部においては、前記異色境界を跨るように、導光板５側面に溝８５Ｂが形成されている。すなわち、溝８５Ｂは、斯かる扁平部の導光板５側面であって、支持板８６Ｂ及び先端部８１Ｂの中間位置に形成されている。また、溝８５Ｂに係合するようにクッション６が、導光板５の一面の縁部に配置されている。
【００６１】
換言すれば、前記異色境界はクッション６との接触位置に存在するように構成されている。より詳しくは、導光板５の厚み方向において、前記異色境界の位置は、クッション６の位置と整合するように構成されている。また、溝８５Ｂによってクッション６の位置ずれを防止できる。
【００６２】
このように、液晶表示パネル２がフロントカバー７の表示窓７１及び上方間隔維持部８Ｂの扁平部８４Ｂによって挟持され、かつ光学シート４が上方間隔維持部８Ｂの支持板８６Ｂ及び先端部８１Ｂの先端によって支えられるので、液晶表示パネル２、光学シート４及び導光板５が、これらの並設方向において、一定の間隔を維持しながら保持され得る。
【００６３】
本発明においては、上方間隔維持部８Ｂが上述したような構成を有するので、液晶表示パネル２、光学シート４及び導光板５が一定の間隔を維持しながら、液晶表示パネル２に上方間隔維持部８Ｂの影が映ることを防ぐことができる（図４中、実線の矢印参照）。
【００６４】
また、本発明においては、上方間隔維持部８Ｂが上述したような構成を有するので、導光板５の側面からの光が前記漏れ光にならず、取付部８２Ｂによって吸収・遮光され、フロントカバー７又は液晶表示パネル２のつなぎ目から外側に光が漏れることもない（図４中、破線の矢印参照）。
【００６５】
更に、横方間隔維持部８Ｃは、図５に示すように、縦断面視クランク状をなす取付部８２Ｃを有している。取付部８２Ｃは、導光板５及び光学シート４の端部付近に設けられている。また、横方間隔維持部８Ｃは、取付部８２Ｃの一端部に連設されており、取付部８２Ｃより導光板５の中央側であって、導光板５及び光学シート４の間に介在する先端部８１Ｃを有している。更に、取付部８２Ｃの他端部には、該他端部から導光板５の厚み方向に延びる脚板８３Ｃが設けられている。取付部８２Ｃ及び脚板８３Ｃが縦断面視フック状をなして、放熱板９の側壁部の先端と係止することにより、横方間隔維持部８Ｃは放熱板９に保持されている。
【００６６】
取付部８２Ｃは、前記他端部及び一端部に扁平部が形成されている。前記他端部の扁平部８４Ｃには、クッションを挟んで、液晶表示パネル２の光源部３側端部が配置されている。換言すれば、前記横方向の端部においては、液晶表示パネル２の端部が、クッションＣを介して、フロントカバー７の表示窓７１及び横方間隔維持部８Ｃの扁平部８４Ｃによって挟持されている。
【００６７】
取付部８２Ｃ及び脚板８３Ｃは、例えば、黒色である。また、これに限るものでなく、光を吸収できる無彩色であれば良い。
【００６８】
一方、取付部８２Ｃの一端部には先端部８１Ｃ（一端部）が連設されており、先端部８１Ｃは上述した先端部８１Ａと同一の形状であるので詳しい説明を省略する。
【００６９】
また、横方間隔維持部８Ｃにおいても、前記異色境界はクッション６との接触位置に存在するように構成されている。すなわち、導光板５の厚み方向において、前記異色境界の位置は、クッション６の位置と整合するように構成されている。
【００７０】
従って、横方間隔維持部８Ｃによっても、液晶表示パネル２に横方間隔維持部８Ｃの影が映ることを防ぐことができる（図５中、実線の矢印参照）。また、導光板５の側面からの光が漏れ光にならず、フロントカバー７又は液晶表示パネル２のつなぎ目から外側に光が漏れることを防止できる（図５中、破線の矢印参照）。
【符号の説明】
【００７１】
１  光源装置
２  液晶表示パネル
３  光源部（光源）
４  光学シート
５  導光板
６  クッション（緩衝部材）
８Ａ  下方間隔維持部
８Ｂ  上方間隔維持部
８Ｃ  横方間隔維持部
８１Ａ、８１Ｂ、８１Ｃ  先端部（一端部）
８２Ａ、８２Ｂ、８２Ｃ  取付部
１００  テレビジョン受像機
【図１】
2015159396.tif 000003
【図２】
2015159396.tif 000004
【図３】
2015159396.tif 000005
【図４】
2015159396.tif 000006
【図５】
2015159396.tif 000007
【手続補正書】
【提出日】平成28年12月21日(2016.12.21)
【手続補正１】
【補正対象書類名】明細書
【補正対象項目名】００５５
【補正方法】変更
【補正の内容】
【００５５】
取付部８２Ｂは、上述したように、縦断面視２段の屈曲部を有しており、前記他端部及び一端部に扁平部が形成されている。前記他端部の扁平部８４Ｂには、クッションを挟んで、液晶表示パネル２の端部が配置されている。換言すれば、前記縦方向の上方においては、液晶表示パネル２の端部が、クッションＣを介して、フロントカバー７の表示窓７１及び上方間隔維持部８Ｂの扁平部８４Ｂによって挟持されている。
【手続補正２】
【補正対象書類名】明細書
【補正対象項目名】００６６
【補正方法】変更
【補正の内容】
【００６６】
取付部８２Ｃは、前記他端部及び一端部に扁平部が形成されている。前記他端部の扁平部８４Ｃには、クッションを挟んで、液晶表示パネル２の端部が配置されている。換言すれば、前記横方向の端部においては、液晶表示パネル２の端部が、クッションＣを介して、フロントカバー７の表示窓７１及び横方間隔維持部８Ｃの扁平部８４Ｃによって挟持されている。
【手続補正３】
【補正対象書類名】特許請求の範囲
【補正対象項目名】全文
【補正方法】変更
【補正の内容】
【特許請求の範囲】
【請求項１】
一側面の光源から入射される光を一面から出射させる導光板と、該導光板の前記一面と対向配置された光学シートとを備える光源装置において、
前記導光板の側面に沿って設けられ、前記光学シート及び導光板の間に一端部が介在して該光学シート及び導光板間の間隔を維持する間隔維持部を備え、
前記間隔維持部は、前記一端部に連設され、前記導光板の外側に設けられた取付部を有しており、
前記間隔維持部は前記一端部が光を反射できる無彩色であって、前記取付部が光を吸収できる無彩色であり、
前記間隔維持部の一端部と、前記導光板との間に設けられた緩衝部材を更に備え、
前記間隔維持部の異色境界が前記緩衝部材との接触部分に位置することを特徴とする光源装置。
【請求項２】
請求項１に記載の光源装置と、
前記光学シートを介して入射される光を用いて画像を表示する表示パネルと
を備えることを特徴とする表示装置。
【国際調査報告】
2015159396.tif 000008
2015159396.tif 000009
2015159396.tif 000010
2015159396.tif 000011